(57)【要約】【課題】  コインを挿入してカギの開け閉めを制御するコインロッカーにおいて、従来のコインロッカーではカギを閉めた状態でしか１．ロッカーキーを抜くことができず、１．ロッカーキーを別の場所で保管し、コインロッカー利用者に１．ロッカーキーを渡し、コインロッカーにコインを挿入してもらい、利用後は再び１．ロッカーキーを返却して、別の場所で１．ロッカーキーを保管するというシステムにするのは難しかった。【解決手段】課題のコインロッカーで、カギを閉めた状態だけでなく、カギをかけた状態でも１．ロッカーキーが抜けるようにすることで、１．ロッカーキーを別の場所で保管し、コインロッカー利用者にロッカーキーを渡し、コインロッカーにコインを挿入してもらい、利用後は再び１．ロッカーキーを返却してもらうというシステムにすることを可能にする。【選択図】    図６
2005025685.tif 000002
【特許請求の範囲】
【請求項１】
コインロッカーなどのコインを挿入し、カギの開け閉めを制御するキーシステムにおいて、カギが開いている状態やカギが閉まっている状態のどちらでもロッカーキーを抜けるようにし、ロッカーキーを別の場所で保管できるようにしたキーシステム。
【発明の詳細な説明】
【技術分野】
【０００１】
本発明は、レジャー施設やいろいろなロッカー室などに置かれているロッカーでコインを徴収し、そのコインによってカギの開け閉めを制御するというコインロッカーなどのキーシステムに関するものである。
【背景技術】
【０００２】
コインロッカーなどのコインを徴収し、そのコインによってカギの開け閉めを制御するというキーシステムにおいて、従来の技術では、コインを挿入しカギが閉まっている状態の時だけしかロッカーキーを抜くことができず、カギが開いている状態ではカギを抜くことができなかった。
【発明の開示】
【発明が解決しようとする課題】
【０００３】
従来のコインロッカーでコインを挿入し、カギが閉まっている状態の時にロッカーキーが抜けるキーシステムだと、カギが開いた状態ではロッカーキーを抜くことができず、従来のコインロッカーのように、カギが開いた状態でロッカーキーがついており、コインを挿入しカギの開閉が可能となるコインロッカーでは、いたずらでロッカーキーを持っていかれる可能性があった。ロッカーキーの再発行には多くの費用が必要で、そのためロッカーキーを持っていかれないようにするために、あらかじめコインロッカーのロッカーキーを手渡す方法がよいが、コインロッカーを使用するときには、コインロッカーにコインを挿入してもらい、コインロッカーの使用後には、再びロッカーキーを手渡しで返却してもらうというシステムにするには、従来のシステムでは解決すべき課題があった。
【０００４】
さらに、主にロッカーキーを手渡しする方法として、健康センターなどのレジャー施設では、ロッカー使用料もしくはメンテナンス料などは、入場料金に含まれており、基本的にはロッカー使用の追加料金は不要であるが、ロッカーの使用の有無にかかわらずロッカーの使用料は間接的に徴収されていた。
【０００５】
従来のコインを挿入すると1度だけカギを閉めることができるコインロッカーでは、カギが開いた状態では、ロッカーキーが抜けないようになっており、コインを挿入することによりカギを閉めることができる。カギが閉まった状態でしかロッカーキーが抜けないため、ロッカーキーを手渡しで返却しようとすると、どうしてもカギを閉めた状態にする必要があり、コインロッカー利用者がコインロッカーの使用後に、再びカギを閉めた状態にするためにコインを挿入する必要があり、ロッカーキーを手渡しし、なおかつロッカーの使用料をコインロッカーで徴収しようとするには、システム的に課題があった
【０００６】
また、ロッカーキーの保証金とロッカーの使用料を同時に挿入してもらい、コインロッカーの使用後にはボタンを押して保証金を返金してもらうタイプのコインロッカーでは、同様にカギを閉めた状態でしかロッカーキーを抜くことできず、ロッカーキーを抜いて手渡しでロッカーキーを返却するためには、カギを閉めた状態にする必要があり、その状態ではボタンを押しても保証金は返金されないという課題があった。そのためカギを閉めた状態でボタンを押して保証金を返金するようにすると、コインロッカーの使用中（カギが閉まっており、なおかつロッカーキーがない状態）に他人にボタンを押され保証金を持っていかれるおそれがあるため、ロッカーキーを手渡しでき、なおかつコインロッカーの使用料をコインロッカーで徴収しようとするにはシステム的に課題があった。
【課題を解決するための手段】
【０００７】
ロッカーキーをロッカー使用者に手渡しで渡し、ロッカーの使用の際にはロッカーにコインを挿入してもらい、ロッカーの使用後にはロッカーキーを手渡しで返却してもらうという課題を解決するには、カギが開いた状態でもロッカーキーが抜けるようにする必要があり、そのシステムにすることにより課題が解決します。
【０００８】
従来のコインを挿入すると1度だけカギを閉めることができるコインロッカーで、カギが開いた状態も、ロッカーキーが抜けるようにします。それによりロッカー使用者は、手渡しでロッカーキーをもらい、コインロッカーにコインを入れて、荷物をロッカーの中に入れてから受け取ったロッカーキーでカギを閉め、ロッカーキーを抜きます。使用後はロッカーにロッカーキーを挿し、カギを開けて荷物を取り出し、ロッカーキーを抜き、手渡しで返却し課題を解決します。
【０００９】
また、ロッカーキーの保証金とロッカーの使用料を同時に挿入してもらい、コインロッカーの使用後にはボタンを押して保証金を返金してもらうタイプのコインロッカーでも、同様にカギを開けた状態でロッカーキーが抜けるようにします。それによりロッカー使用者は、手渡しでロッカーキーをもらい、コインロッカーにコインを入れて、荷物をロッカーの中に入れてから受け取ったロッカーキーでカギを閉め、ロッカーキーを抜きます。このコインロッカーではボタンを押すまでカギの開閉が何回でも可能で、使用後にはロッカーにロッカーキーを挿し、カギを開けて荷物を取り出し、カギを開けた状態でボタンを押し、保証金を受け取り、ロッカーキーを抜き、手渡しで返却し課題を解決します。
【００１０】
この場合、ロッカーキーの手渡しとは、コインロッカーのキーシステムとは別の場所で保管することをいい、特に手で渡すことだけを限定しません。また、コインロッカーとはコインを挿入することによってカギの開閉を制御するロッカーを記します。
【００１１】
本発明にかかわるロッカーキーを手渡しし、なおかつロッカーの使用料としてコインをコインロッカーに挿入してもらい、使用後にはロッカーキーを抜いて手渡しで返却してもらうシステムを可能にするため、カギが開いた状態とカギが閉まった状態のどちらでもロッカーキーが抜けるようにしたキーシステムの実施形態としての一例を、以下に、図面に基づいて詳細に説明します。
【００１２】
カギが開いた状態や閉まった状態のどちらでも１．ロッカーキーが抜けるように、主に図１のような部品から構成されている図２の３．外筒に、通常図５のように、１対掘られている６．溝を図６のように２対堀り、カギが開いた状態（別の位置）でも１．ロッカーキーが抜けるように３．外筒に６．溝を掘ります。５．タンブラーは図４のように１．ロッカーキーを抜くときや違ったカギが挿入されているときには２．内筒から押し出され、６．溝にはまって１．ロッカーキーが回転できないようにしている。３．外筒に新たに６．溝を掘ることにより、カギが閉まっているときと同様に５．タンブラーが６．溝に逃げ込むことができ新たなカギの回転位置（カギが開いた状態など）で１．ロッカーキーを抜くことができるようになります。
【００１３】
また、図７の２．内筒の７．突起や、１．ロッカーキーの回転をカギの開け閉めに変換する図８の４．ロック機構の８．はめ込み穴に、図９のように同じような大きさにするのではなく、図１０のようにすきまなどの遊びを設けることにより、カギを開けた状態の１．ロッカーキーの回転位置から、カギを閉めた状態のロッカーキーの回転位置まで戻すことで１．ロッカーキーを抜くことができるようになります。
【００１４】
本発明はコインロッカーにおいてロッカーキーを別の場所で保管するため、カギが開いた状態で、ロッカーキーが抜けることで本課題を解決が解決できるので、カギが開いた状態でのロッカーキーを抜ける方法などは特定しません。
【発明の効果】
【００１５】
以上本発明により、以下の効果を得ることができる。
【発明を実施するための最良の形態】
【００１６】
本発明により、ロッカーキーを別に保管しながら、なおかつロッカー使用料を間接的ではなくロッカー自体で集金できるようになり、ロッカーキーの持ち帰りなどの紛失によるメンテナンス費の節約や荷物を置きっぱなしにするロッカーの不正使用を減らすことが可能となります。また、ロッカー使用代金をロッカー自体で集金することにより、ロッカーにかかった購入費やメンテナンス費などをロッカー自体でまかなうことが可能となります。また、ロッカーキーを別の場所で保管することにより、コインロッカーの私物化や１．ロッカーキーでのいたずらを防ぐことができます。
【図面の簡単な説明】
【００１７】
【図１】ロッカーのカギの立体イメージ図である。
【図２】ロッカーのカギの外筒立体イメージ図である。
【図３】ロッカーキーを挿した状態の内筒図である。
【図４】ロッカーキーを抜いている状態の内筒図である。
【図５】ロッカーキーを抜いてロックされている状態の図である。
【図６】外筒に溝を追加したときの図である。
【図７】ロッカーのカギの立体イメージ図（裏側）である。
【図８】ロック機構立体イメージ図である。
【図９】ロック機構と内筒のはめ込み図である。
【図１０】ロック機構と内筒のはめ込み図（遊びあり）である。
【図１１】ロック機構と内筒のはめ込み図（遊び利用）である。
【符号の説明】
【００１８】
１    ロッカーキー
２    内筒
３    外筒
４    ロック機構
５    タンブラー
６    溝
７    突起
８    はめ込み穴
【図１】
2005025685.tif 000003
【図２】
2005025685.tif 000004
【図３】
2005025685.tif 000005
【図４】
2005025685.tif 000006
【図５】
2005025685.tif 000007
【図６】
2005025685.tif 000008
【図７】
2005025685.tif 000009
【図８】
2005025685.tif 000010
【図９】
2005025685.tif 000011
【図１０】
2005025685.tif 000012
【図１１】
2005025685.tif 000013